(57)【要約】  【課題】  記録媒体からの番組素材や通信回線からの番組素材等を収録するためには、多数回の素材の加工、編集を必要とし、人手による手間がかかり、面倒であると言う問題があり、省力化のできる番組素材収録装置の実現が望まれている。  【解決手段】  時刻情報を有する複数の連続した番組素材が供給される入力部と、上記番組素材の上記時刻情報を検出する時刻検出部と、上記番組素材が供給される入力部からの番組素材が供給される収録制御部と、上記収録制御部に結合される収録素材のデータベースからなり、上記収録制御部は、上記時刻検出部で検出される時刻情報に基いて上記複数の番組素材を個別の番組素材に分割し、上記収録素材のデータベースに、上記それぞれの個別の番組素材に番地を付して記録するように構成される。【選択図】  図１
2006222488.tif 000002
【特許請求の範囲】
【請求項１】
時刻情報を有する複数の連続した番組素材が供給される入力部と、上記番組素材の上記時刻情報を検出する時刻検出部と、上記番組素材が供給される入力部からの番組素材が供給される収録制御部と、上記収録制御部に結合される収録素材のデータベースからなり、上記収録制御部は、上記時刻検出部で検出される時刻情報に基いて上記複数の番組素材を個別の番組素材に分割し、上記収録素材のデータベースに、上記それぞれの個別の番組素材に番地を付して記録することを特徴とする番組素材収録装置。
【請求項２】
請求項１記載の番組素材収録装置において、更に、ロゴマーク付加部を具え、上記収録素材のデータベースに、上記それぞれの個別の番組素材を記録する場合、上記ロゴマーク付加部から出力されるロゴマークを付して記録することを特徴とする番組素材収録装置。
【請求項３】
時刻情報を有する複数の連続した番組素材を入力するステップと、入力された上記番組素材の上記時刻情報を検出するステップと、上記検出された時刻情報に基いて上記複数の番組素材を個別の番組素材に分割するステップおよび上記分割された個別の番組素材に番地を付して記録するステップからなることを特徴とする番組素材収録方法。
【発明の詳細な説明】
【技術分野】
【０００１】
本発明は、番組素材収録装置および番組素材収録方法に関し、特に、ＣＭ素材などの動画の番組素材を自動的に収録する番組素材収録装置および番組素材収録方法に関するものである。
【背景技術】
【０００２】
放送番組の制作から送出までの大まかな流れは、まず、番組の構成を計画し、その計画に従って適切な素材を集めて放送番組の収録サーバ装置（収録装置）に収録する。そして、番組放送スケジュールに基づいて各番組素材を収録サーバ装置から読み出して送出装置から送出するというものである。この場合、放送番組の収録作業において、素材の供給は、磁気テープ等の記録媒体を用いて行われる場合と通信回線を介して行われる場合の二つの場合がある。前者の場合は、例えば、ビデオカメラで撮影された放送素材やこれら放送素材を加工、編集したものを記録した記録媒体を放送局に持ち込む等による供給であり、後者の場合は、例えば、カメラで撮影された映像やＣＭ製作スタジオ等からの通信伝送路による放送素材の供給である。
【０００３】
近年、テレビジョン放送システムのディジタル化が急速に発展するにつれ、収録サーバ装置に収録された番組素材を送出装置で送出する、所謂、オンエア送出には、従来のＶＴＲ(ビデオテープレコーダ)を用いて放送業務を行う放送システム、いわゆるＶＴＲ放送システムに代えて、ノンリニア放送システムと呼ばれるシステムが、放送業務用として使用され始めてきている（例えば、特許文献１参照）。
【０００４】
このノンリニア放送システムは、複数の番組素材を、ランダムアクセスが可能な記憶装置に予め記録しておき、自動放送システムからの指示により、順次、放送スケジュールに従って、各番組素材ごとに選択して読出すことにより、複数の番組素材が所定の順序で時系列的に並んだ放送プログラムとして組立てられるようにし、これを放送するようにしたシステムである。このようなシステムを、以下、ノンリニア放送システムと呼ぶことにする。ここで、番組素材とは、映像情報と音声情報のうち、少なくとも映像情報を含むテレビジョン放送用の情報のことを指し、従って、番組素材の集合が番組となる。なお、この番組素材については、放送素材と呼ばれる場合もある。
【０００５】
このようなノンリニア放送システムとしては、従来から、例えば図３に示す放送システムが用いられている。以下このノンリニア放送システムについて簡単に説明する。図３において、３０１は、放送管理コンピュータ、３０２は、自動放送システム（ＡＰＳ）である。この自動放送システム３０２には、送出制御部３０３と、収録素材のデータベース３０４およびモニタ３０５が備えられている。収録素材のデータベース３０４は、多数の番組素材３０５を適宜収録し、また、送出制御部３０３の制御により収録素材のデータベース３０４に収録された多数の番組素材から適宜読み出され、オンエアのために番組素材の送出（３０６）をする働きをする。
【０００６】
放送管理コンピュータ３０１は、放送業務に関する全てのデータを管理する働きをするもので、その処理の一環として、例えば、１日分あるいは１週間分の放送プログラムに必要な複数の素材の放送スケジュールを、対応する素材のそれぞれが放送される順番に収録されている放送進行データとして保持し、それを自動放送システム３０２に供給する処理を行う。図５は、例えば、１日分の放送プログラムに必要な複数の素材の放送スケジュール表の一部を例示するもので、時間は、ある日の放送開始の時間、例えば、12時、００分、００秒を表し、番組の長さは、その番組の放送時間、例えば、１５秒間を表す。素材ＩＤは、例えば、番組素材を特定するためのＩＤ番号で、Ａ社のＣＭの場合、ＡＣ１で示されている。番組の内容は、例えば、Ａ社のＣＭというタイトルを表す。コメント欄は、放送局の本局とか、地方局での放送内容かどうかを表示するもので、Ａ社のＣＭの場合は、Ａ局で放送と表示されている。なお、コメント欄には、放送上での必要なコメント等が記載される。番地は、その放送の番組素材が格納されている収録素材のデータベース３０４の収録番地を示している。このような内容が各時間毎に放送スケジュールとして前もって計画し、作成されている。
【０００７】
自動放送システム３０２は、図５で示す放送スケジュール表に従って、まず、各々の素材の放送開始時刻の所定時間前になったとき、その素材の素材ＩＤ(素材に対する識別コード)を送出制御部３０３に供給する。次に、各々の素材の放送開始時刻になったとき、その素材の放送開始命令を送出制御部３０３に供給する。収録素材のデータベース３０４は、磁気ディスク装置、光ディスク装置、ＤＶＤ（Digital Versatile Disk）装置等のランダムアクセスが可能な記録装置で構成され、放送プログラム１日分あるいは１週間分の素材を予め格納保持すると共に、送出制御部３０３の制御のもとで動作するようになっている。従って、送出制御部３０３は、自動放送システム３０２から供給された素材ＩＤを用いて収録素材のデータベース３０４内の素材を検索し、キューアップ(放送開始可能状態にすること)し、素材の放送開始命令に応じて、順次、キューアップされた素材を収録素材のデータベース３０４から読み出して放送装置に送出する働きをすることになり、これにより自動放送システムとしての動作を行なう。
【０００８】
モニタ３０５は、自動放送システム３０２により制御され、放送業務の現在の進行状況を表示する働きをする。このモニタ３０５には、例えば、現在放送している素材を含む番組(複数の素材の集合)の識別コード、番組名、放送開始時刻、素材の長さ、素材の識別コード等、現在放送中の素材のデータ及び次に放送する予定の素材のデータなどが表示される。従って、このノンリニア放送システムによれば、モニタ３０５を見ることにより、放送プログラムが予定通りに進んでいるか否かを知り、放送進行状況を確認することができる。
【０００９】
而して、上述したノンリニア放送システムは、放送プログラム１日分あるいは１週間分の素材を予め収録素材のデータベース３０４に格納し、放送管理コンピュータ３０１からの例えば、１日分の放送スケジュールの制御に基いて自動で放送されるシステムであり、オンエアで送出する放送業務については、従来のＶＴＲを用いて放送業務を行う放送システムからは各段に良くなっている。しかしながら、このノンリニア放送システムに適合させるためには、収録素材のデータベース３０４に予め放送プログラム１日分の素材を編集して格納しておくことが必要であるが、この収録作業は、従来、人手によるしか方法がなかった。即ち、前述したように、収録のための素材の供給は、磁気テープ等の記録媒体を用いて行われる場合と通信回線を介して行われる場合の二つの場合があることを説明した。このような素材から番組のための素材を収録するためには、例えば、数台のＶＴＲ編集機と複数の入力回線を備えた収録装置を準備し、そして、収録時には、ＶＴＲ番号や回線番号を素材の供給元に指定するとともに、収録素材のデータベースの記録番地を素材の供給先に指定し、さらに、放送素材ごとの様々な属性情報、ロゴマークなどをマウス、あるいは、キーボードから入力して収録準備をした後、ビデオサーバ・システムの収録動作を開始することとなる。
【００１０】
図４は、従来のＶＴＲによりＣＭ番組素材が供給された場合の収録の一例を説明するための図である。例えば、ＶＴＲ１には、Ａ社のＣＭ素材が放送時間１２：００：００から１５秒間と、１２：０５：３１から１５秒間の２つのＣＭが収録されており、ＶＴＲ２には、Ｂ社のＣＭ素材が放送時間１２：３０：００から１分間収録されている。４０１、４０２および４０３は、ＶＴＲの録画テープに記録されている放送開始時間情報、ＣＭ素材の長さ情報、タイトル等の番組の内容、属性情報およびＣＭの番組素材である音声、動画像等の情報を示す。以下これをＣＭ素材と称する。このＶＴＲからのＣＭ素材は、収録者がＶＴＲ編集機によりＶＴＲ１、ＶＴＲ２をそれぞれ再生し、放送開始時間、ＣＭ素材の長さ、番組の内容、属性情報を目視および放送スケジュールを基に適宜編集し、また、ＣＭ素材毎に、例えば、素材ＩＤやロゴマークの挿入等を行い、収録素材のデータベース３０４に１素材ずつ収録すると言う作業を行っている。ここで、ロゴマークとは、ＣＭ素材を放送するステーション、例えば、本局、地方局等を区別するためのマークを言う。
【００１１】
このように記録媒体からの番組素材や通信回線からの番組素材等を収録するためには手間がかかり、面倒であると言う問題があり、省力化のできる番組素材収録装置の実現が望まれている。
【００１２】
【特許文献１】特開２０００−２０１１２１号公報
【発明の開示】
【発明が解決しようとする課題】
【００１３】
記録媒体からの番組素材や通信回線からの番組素材等を収録するためには、多数回の素材の加工、編集を必要とし、人手による手間がかかり、面倒であると言う問題があり、省力化のできる番組素材収録装置の実現が望まれている。
【００１４】
本発明の目的は、番組素材の収録が簡単にできる番組素材収録装置および番組素材収録方法を提供することである。
【００１５】
本発明の他の目的は、番組素材の収録を自動で行える番組素材収録装置および番組素材収録方法を提供することである。
【００１６】
本発明の更に他の目的は、ロゴマークの付加を自動で行える番組素材収録装置および番組素材収録方法を提供することである。
【課題を解決するための手段】
【００１７】
本発明の番組素材収録装置は、時刻情報を有する複数の連続した番組素材が供給される入力部と、上記番組素材の上記時刻情報を検出する時刻検出部と、上記番組素材が供給される入力部からの番組素材が供給される収録制御部と、上記収録制御部に結合される収録素材のデータベースからなり、上記収録制御部は、上記時刻検出部で検出される時刻情報に基いて上記複数の番組素材を個別の番組素材に分割し、上記収録素材のデータベースに、上記それぞれの個別の番組素材に番地を付して記録するように構成される。
【００１８】
また、本発明の番組素材収録装置において、更に、ロゴマーク付加部を具え、上記収録素材のデータベースに、上記それぞれの個別の番組素材を記録する場合、上記ロゴマーク付加部から出力されるロゴマークを付して記録するように構成される。
【００１９】
また、本発明の番組素材収録装置において、更に、記憶部を有する収録サーバ装置を具え、上記記憶部には、放送スケジュールが記憶されており、上記収録素材のデータベースに、上記それぞれの個別の番組素材を記録する場合、上記放送スケジュールを参照して上記それぞれの個別の番組素材を上記収録素材のデータベースに記録するように構成される。
【００２０】
更に、本発明の番組素材収録方法は、時刻情報を有する複数の連続した番組素材を入力するステップと、入力された上記番組素材の上記時刻情報を検出するステップと、上記検出された時刻情報に基いて上記複数の番組素材を個別の番組素材に分割するステップおよび上記分割された個別の番組素材に番地を付して記録するステップから構成される。
【発明の効果】
【００２１】
以上説明したように、本発明によれば種々の形態で供給される番組素材から１素材づつに分割した素材の登録を自動で行うことにより、番組素材の収録を省力化することができる。また、同時にロゴを付加する機能を加えることで、分割し登録を終えた後に再びロゴ付加の加工をする手間を省き、１素材の登録にかかる時間を節約することが可能になる等、番組素材の収録が簡単にできる番組素材収録装置および番組素材収録方法を提供することができる。
【発明を実施するための最良の形態】
【００２２】
以下、図面を用いて本発明の内容を詳細に説明する。図１は、本発明の一実施例を説明するための概略構成のブロック図を示す。図１において、１０１は、伝送路であり、例えば、ＣＭ製作スタジオ等からの番組素材が伝送路で送られてくる場合を示している。１０２、１０３は、例えば、磁気テープ媒体で送られてくる場合の番組素材がＶＴＲ１、ＶＴＲ２で再生される場合を示している。なお、番組素材は、上記の他、光ディスクや磁気ディスク等の記録媒体で供給される場合であっても良いことは言うまでもない。１０４は、選択部であり、収録する番組素材が伝送路１０１であるか、ＶＴＲ１またはＶＴＲ２であるかを選択する選択部である。なお、番組素材が入力される選択部１０４を入力部と言うこともできる。１０５は、収録制御部であり、番組収録の全体を制御する。１０６は、収録サーバ装置であり、前述の放送管理コンピュータ３０１、自動放送システム３０２で構成されている。なお、放送管理コンピュータ３０１の記憶部１１０には、例えば、前述したように図５に示す１日分あるいは１週間分（あるいは１ヶ月分でもよい。）の放送プログラムに必要な複数の素材の放送スケジュールが記憶されている。１０７は、時刻検出部、１０８は、ロゴマーク付加部、１０９は、元素材のデータベース（記憶部）、１１０は、放送管理コンピュータ３０１の記憶部、１１１は、番組のオンエアーの時の番組送出端子である。
【００２３】
以下図１に示すシステムの番組素材の収録動作を図６に示すフローチャートに基いて説明する。まず、収録処理開始ステップ６０１では、収録サーバ装置１０６が収録制御部１０５を起動すると共に、記憶部１１０に記憶されている、例えば、図５に示す放送スケジュールに基いて収録制御部を制御する（放送スケジュール処理ステップ６０２）。なお、この場合の放送スケジュールは、番組素材を収録する場合の作業のために用いられる放送スケジュールであり、オンエアーされる前の放送スケジュールであることは言うまでもない。
【００２４】
収録制御部１０５は、選択部１０４を操作して収録すべき番組素材を選択する。この選択には、例えば、入力装置（図示せず。）のマウスあるいはキーボードから選択部１０４の入力を選択する。ここでは、ＶＴＲ１０２が選択されたとすると、ＶＴＲ１０２が選択され、再生され、番組素材が収録制御部１０５を介して元素材のデータベース１０９に記録される。この元素材のデータベースは、供給される全ての番組素材を保存するための記録装置である。
【００２５】
収録時刻Ｎ１検出ステップ６０３では、選択部１０４からの番組素材の時間情報が時刻検出部１０７で検出される。例えば、選択部１０４からの番組素材は、ＶＴＲ１０２からの番組素材であるので、例えば、図４で示されるＶＴＲ１の番組素材が供給されるが、この番組素材は、前述のようにＡ社のＣＭ素材が収録されている。従って、まず、ＶＴＲ１の録画テープの４０１、即ち、放送開始時間情報Ｎ１として１２：００：００を検出し、この検出した放送開始時間情報Ｎ１（１２：００：００）を収録制御部１０５に供給する。
【００２６】
リソース取得処理ステップ６０４では、時刻検出部１０７からの放送開始時間情報Ｎ１と、収録サーバ装置１０６の放送スケジュール表（図５に示す。）を参照し、この番組素材４０１がＡ社のＣＭ素材と判断し、Ａ社のＣＭ素材４０１を収録素材のデータベース３０４の記憶番地１１１に記憶する。この時の記憶内容を図２に示す。図２は、収録素材のデータベース３０４の記憶内容の一部分を示すもので、例えば、記憶番地１１１には、Ａ社ＣＭの素材ＩＤ：ＡＣ１、放送開始時間：１２：００：００、番組の長さ：００：００：１５、映像データ：Ａ社ＣＭ、ロゴマーク：Ａ局ロゴマークがそれぞれ記憶される。ここで、素材ＩＤは、収録サーバ装置１０６の放送スケジュール表に基いて記録される。映像データであるＡ社ＣＭは、音声を含む画像データであり、一般に動画のＣＭ素材データである。Ａ局ロゴマークは、Ａ放送局で放送される、例えば、ＴＶ（テレビ）ＣＭであることを示すロゴマークのデータベースである。このＡ局ロゴマークは、収録サーバ装置１０６の放送スケジュール表のコメント欄に記載されている「Ａ局で放送」を参照してロゴマーク付加部からのＡ局のロゴマークデータに基き作成される。なお、収録素材のデータベース３０４の記憶番地１１１の情報は、収録サーバ装置１０６の放送スケジュール表（図５に示す。）の番地欄に「番地１１１」が追加される。この番地１１１は、自動放送システムが番組を放送する時の番組素材の検索のキーとすることができる。同様に素材ＩＤも自動放送システムが番組を放送する時の番組素材の検索のキーとすることもできる。また、ロゴマーク付加は、必要でない場合もある。例えば、放送局が１つの場合には、放送する番組素材を区別する必要がないので、付加しない場合もある。
【００２７】
収録時刻Ｎ２検出ステップ６０５では、収録時刻Ｎ１検出ステップ６０３に続いて、選択部１０４は、ＶＴＲ１からの番組素材の時間情報が２番目の放送開始時間情報Ｎ２として１２：０５：３１を検出し、この検出した放送開始時間情報Ｎ２（１２：０５：３１）を収録制御部１０５に供給する。
【００２８】
リソース取得処理ステップ６０６では、リソース取得処理ステップ６０４と同様に、時刻検出部１０７からの放送開始時間情報Ｎ２と、収録サーバ装置１０６の放送スケジュール表（図５に示す。）を参照し、この番組素材４０２がＡ社のＣＭ素材と判断し、Ａ社のＣＭ素材４０２を収録素材のデータベース３０４の記憶番地１１２に記憶する。
【００２９】
収録時間検出ステップ６０７では、Ａ社のＣＭ素材の放送時間を検出する。即ち、Ａ社の放送開始時間は、１２：００：００から１５秒間と、１２：０５：３１から１５秒間の合計３０秒であることを検出する。
【００３０】
収録確認処理ステップ６０８では、収録サーバ装置１０６の放送スケジュール表（図５に示す。）を参照し、収録時間検出ステップ６０７での検出結果が正しく収録されているかどうかを確認する。周知のように放送の場合は、特に、放送内容と同様に、放送の開始時間、放送の時間間隔は、最重要事項であり、大衆はもとより、ＣＭ素材を提供するユーザにとっても極めて重要であり、最も信頼性の要求される事項であるので、収録確認処理ステップを設け、収録に誤りのないように管理している。
【００３１】
終了時刻検出ステップ６０９では、例えば、ＶＴＲ１の収録終了時刻を検出し、この検出結果に基づいてＶＴＲ１の番組素材の収録を終了する（終了処理ステップ６１０）。ＶＴＲ１の番組素材４０１および４０２の収録が終了すると、収録制御部１０５は、選択部１０４を操作してＶＴＲ１０３を選択し、ＶＴＲ２のＢ社のＣＭ素材４０３（図４に示す。）を時刻検出部１０７が検出する時刻情報１２時３０分００秒に基いて、上述と同様に検出し、図２に示す記録番地１６０にＣＭ素材４０３を記録する。同様に、伝送路１０１から送られてくるＣ社のＣＭ素材も同様に検出し、記録番地１５１に記憶する。以上のように多数の記録媒体あるいは伝送路から送られてくる番組素材について上記方法を繰返すことで、図２に示す収録素材のデータベース３０４が作成される。
【００３２】
そして、このようにして収録された収録素材のデータベース３０４を具えた自動放送システム３０２は、図５で示す放送スケジュール表に従って、まず、各々の素材の放送開始時刻の所定時間前になったとき、その素材の素材ＩＤまたは記憶番地(素材に対する識別コード)を送出制御部３０３に供給する。これによって、各々の素材の放送開始時刻になったとき、その素材の放送開始命令が送出制御部３０３に供給される。収録素材のデータベース３０４は、磁気ディスク装置、光ディスク装置、ＤＶＤ（Digital Versatile Disk）装置等のランダムアクセスが可能な記録装置で構成され、放送プログラム１日分（１週間分あるいは１ヶ月分等でもよい。）の素材を予め格納保持すると共に、送出制御部３０３の制御のもとで動作するようになっている。従って、送出制御部３０３は、自動放送システム３０２から供給された素材ＩＤまたは記憶番地を用いて収録素材のデータベース３０４内の番組素材を検索し、キューアップ(放送開始可能状態にすること)し、素材の放送開始命令に応じて、順次、キューアップされた番組素材を収録素材のデータベース３０４から読み出してオンエアー出力端子１１１から各家庭に送出することで自動放送システムとして動作する。従って、番組素材の収録から番組素材の放送までの全てにわたり自動で処理できる番組素材の収録、放送システムとなる。
【００３３】
なお、上記実施例では、図５に示す放送スケジュール表および図２に示す収録素材のデータベースについて説明したが、これらに示される項目は、例示的なものであり、収録する番組素材、放送内容、その他放送環境に応じて追加、削除されるものであり、これらに限定されるものではない。
【００３４】
更に、本発明の実施例において、収録制御部１０５は、番組素材の収録に先立ち、記録媒体に記録された番組素材あるいは伝送路で送られてくる番組素材の内、収録側の収録素材のデータベース１０９に収録をするか、しないかの判断を収録サーバ装置１０６の放送スケジュール表（図５に示す。）を参照して行うことにより放送以外の素材を記録するようなことを防ぐこともできる。また、上記実施例では、番組素材としてＣＭ素材について説明したが、これに限られるものではなく、ニュース、音楽番組、ドラマ等、ＴＶ放送される全ての番組素材の収録に適用できることは言うまでもない。
【００３５】
以上、詳細に説明したように種々の記録媒体に記録されている連続した番組素材あるいは伝送路から送られてくる連続した番組素材を放送開始時間情報に基いて１番組素材単位（個別の番組素材単位）に分割し、所定の属性情報やロゴマークを自動的に付加し、収録素材のデータベースに自動的に収録できるので、従来のように人手による手間がかからず、省力化のできる番組素材収録装置が実現できる。
【００３６】
以上、本発明について詳細に説明したが、本発明は、ここに記載された番組素材収録装置および番組素材収録方法の実施例に限定されるものではなく、上記以外の番組素材収録装置および番組素材収録方法に広く適応することが出来ることは、言うまでも無い。
【図面の簡単な説明】
【００３７】
【図１】本発明の一実施例の概略構成のブロック図を示す。
【図２】本発明に使用される収録素材のデータベースの内容を説明するための図である。
【図３】従来のノンリニア放送システムの一例を説明するための図である。
【図４】従来のＶＴＲに記録された番組素材を説明するための図である。
【図５】ノンリニア放送システムの放送スケジュールを説明するための図である。
【図６】本発明の一実施例の動作を説明するためのフローチャートを示す。
【符号の説明】
【００３８】
１０１：伝送路、１０２、１０３：ＶＴＲ、１０４：選択部、１０５：収録制御部、１０６：収録サーバ装置、１０７：時刻検出部、１０８：ロゴマーク付加部、１０９：元素材のデータベース、１１０：記憶部、１１１：オンエアーのための送出端子、３０１：放送管理コンピュータ、３０２：自動放送システム、３０３：送出制御部、３０４：収録素材のデータベース、３０５：番組素材、３０６：送出素材。
【図１】
2006222488.tif 000003
【図２】
2006222488.tif 000004
【図３】
2006222488.tif 000005
【図４】
2006222488.tif 000006
【図５】
2006222488.tif 000007
【図６】
2006222488.tif 000008